(57)【要約】【課題】  ユーザの個人情報と特定区域についての入退場情報とをより効率的に管理することのできる入退場管理装置を提供する。【解決手段】  ＩＣカード３のユーザの個人情報を含むカード情報を読取るカードリーダライタ４と、読取られたカード情報を記憶するカード情報ＤＢ６４１と、カード情報ＤＢ６４１のカード情報と、ユーザが所持する非接触ＩＣタグ２のタグＩＤとを対応付けて記憶するタグＩＤＤＢ６４２と、当該各ユーザの所持する非接触ＩＣタグに記憶されているタグＩＤを読取るタグリーダ３０と、を備え、ＣＰＵ６１によって、読取られたタグＩＤを、タグＩＤＤＢ６４２に記憶されているタグＩＤに基づいて認証し、認証結果をユーザに通知し、認証された場合、認証されたタグＩＤと、当該タグＩＤの読取結果に基づく入退場情報とを対応付けて記憶させる。【選択図】図６
2006022525.tif 000002
【特許請求の範囲】
【請求項１】
ユーザが所持するＩＣカードに記憶されている当該ユーザの個人情報を含むカード情報を読取るカード情報読取手段と、
前記カード情報読取手段によって読取られたカード情報を記憶するカード情報記憶手段と、
前記カード情報記憶手段に記憶されているカード情報と、前記ユーザが所持する非接触ＩＣタグに記憶されているタグ識別情報とを対応付けて記憶するタグ識別情報記憶手段と、
各ユーザが特定区域へ入退場するための入退場口に設けられ、当該各ユーザが所持する非接触ＩＣタグに記憶されているタグ識別情報を読取るタグ識別情報読取手段と、
前記タグ識別情報読取手段によって読取られたタグ識別情報を、前記タグ識別情報記憶手段に記憶されているタグ識別情報に基づいて認証する認証手段と、
前記認証手段による認証結果を、前記特定区域に入退場しようとするユーザに通知する通知手段と、
前記認証手段によって認証された場合、認証されたタグ識別情報と、当該タグ識別情報の読取結果に基づく入退場情報とを対応付けて記憶する入退場情報記憶手段と、
を備えることを特徴とする入退場管理装置。
【請求項２】
前記カード情報読取手段によって読取られたカード情報に対応付けられたタグ識別情報を前記タグ識別情報記憶手段から取得するタグ識別情報取得手段と、
前記タグ識別情報取得手段によって取得されたタグ識別情報に対応付けられた入退場情報を前記入退場情報記憶手段から取得する入退場情報取得手段と、
前記入退場情報取得手段によって取得された入退場情報を、当該入退場情報に対応するカード情報を記憶するＩＣカードに書込む書込手段と、
を備えることを特徴とする請求項１記載の入退場管理装置。
【請求項３】
前記タグ識別情報取得手段によって取得されたタグ識別情報に対応付けられたカード情報を前記カード情報記憶手段から取得するカード情報取得手段と、
前記カード情報取得手段によって取得されたカード情報中の個人情報を所定の出力手段に出力させる出力制御手段と、
を備えることを特徴とする請求項２記載の入退場管理装置。
【請求項４】
前記カード情報は、当該カード情報を記憶するＩＣカードを所持するユーザが所持する非接触ＩＣタグに記憶されているタグ識別情報を含み、
前記タグ識別情報記憶手段は、前記カード情報読取手段によって読取られた個人情報と、カード識別情報と、タグ識別情報とを対応付けて記憶することを特徴とすることを特徴とする請求項１〜３の何れか一項に記載の入退場管理装置。
【請求項５】
前記非接触ＩＣタグは、アンテナ部と、前記アンテナ部を介して所定の管理データを送受するＩＣチップと、を備え、
前記非接触ＩＣタグを前記ユーザが着用するヘルメットに備えたことを特徴とする請求項１〜４の何れか一項に記載の入退場管理装置。
【発明の詳細な説明】
【技術分野】
【０００１】
本発明は、入退場管理装置に関する。
【背景技術】
【０００２】
従来、立入り規制区域等の特定区域に対する立入り許可者の入退場を管理する入退場管理装置が知られている（例えば、特許文献１）。
このような入退場管理装置は、例えば、立入り許可者が携帯している非接触式のＩＤタグに記憶されている識別番号を特定区域に設けられた読取装置によって読取らせ、この読取結果に基づいて当該特定区域への入場可否が制御装置によって判断されるとともに、当該ＩＤタグの携帯者の所在が管理される構成となっている。
【特許文献１】特開２００２−５６３６６号公報
【発明の開示】
【発明が解決しようとする課題】
【０００３】
しかしながら、特許文献１記載の入退場管理装置においては、立入り許可者がある程度固定される特定区域での入退場管理には適しているものの、例えば、立入り許可者が日替わりで変わる特定区域の入退場管理には適さない。なぜなら、立入り許可者が携帯するＩＤタグの記憶容量には限度があり、ＩＤタグに個人情報などを記憶することが困難であるため、ＩＤタグの読取結果に基づく入退場情報と個人情報とを対応付けて管理することが困難だからである。
特に、建設現場等においては、作業者の入れ替わりは頻繁に行われるため、このような場合に、作業者の個人情報と現場への入退場情報との効率的な管理が望まれていた。
【０００４】
そこで、本発明の課題は、ユーザの個人情報と特定区域への入退場情報とをより効率的に管理することのできる入退場管理装置を提供することである。
【課題を解決するための手段】
【０００５】
上記課題を解決するため、請求項１記載の発明は、入退場管理装置であって、例えば、図１に示すように、
ユーザが所持するＩＣカード（３）に記憶されている当該ユーザの個人情報を含むカード情報を読取るカード情報読取手段（例えば、カードリーダライタ４）と、
前記カード情報読取手段によって読取られたカード情報を記憶するカード情報記憶手段（例えば、ＣＰＵ６１、カード情報ＤＢ６４１，カード情報記憶プログラム６５０）と、
前記カード情報記憶手段に記憶されているカード情報と、前記ユーザが所持する非接触ＩＣタグ（２）に記憶されているタグ識別情報とを対応付けて記憶するタグ識別情報記憶手段（例えば、ＣＰＵ６１、タグＩＤＤＢ６４２，タグＩＤ記憶プログラム６５１）と、
各ユーザが特定区域へ入退場するための入退場口に設けられ、当該各ユーザが所持する非接触ＩＣタグに記憶されているタグ識別情報を読取るタグ識別情報読取手段（例えば、タグリーダ３０）と、
前記タグ識別情報読取手段によって読取られたタグ識別情報を、前記タグ識別情報記憶手段に記憶されているタグ識別情報に基づいて認証する認証手段（例えば、ＣＰＵ６１、認証プログラム６５２）と、
前記認証手段による認証結果を、前記特定区域に入退場しようとするユーザに通知する通知手段（例えば、ＣＰＵ６１、通知プログラム６５３）と、
前記認証手段によって認証された場合、認証されたタグ識別情報と、当該タグ識別情報の読取結果に基づく入退場情報とを対応付けて記憶する入退場情報記憶手段（例えば、ＣＰＵ６１、入退場情報ＤＢ６４３、入退場情報記憶プログラム６５５）と、
を備えることを特徴とする。
【０００６】
請求項２記載の発明は、請求項１記載の入退場管理装置であって、
前記カード情報読取手段によって読取られたカード情報に対応付けられたタグ識別情報を前記タグ識別情報記憶手段から取得するタグ識別情報取得手段（例えば、ＣＰＵ６１、タグＩＤ取得プログラム６５４）と、
前記タグ識別情報取得手段によって取得されたタグ識別情報に対応付けられた入退場情報を前記入退場情報記憶手段から取得する入退場情報取得手段（例えば、ＣＰＵ６１、入退場情報取得プログラム６５６）と、
前記入退場情報取得手段によって取得された入退場情報を、前記入退場情報に対応するカード情報を記憶するＩＣカードに書込む書込手段（例えば、カードリーダライタ４、ＣＰＵ６１、書込プログラム６５７）と、
を備えることを特徴とする。
【０００７】
請求項３記載の発明は、請求項２記載の入退場管理装置であって、
前記タグ識別情報取得手段によって取得されたタグ識別情報に対応付けられたカード情報を前記カード情報記憶手段から取得するカード情報取得手段（例えば、ＣＰＵ６１、カード情報取得プログラム６５８）と、
前記カード情報取得手段によって取得されたカード情報中の個人情報を所定の出力手段（例えば、表示部６６）に出力させる出力制御手段（例えば、ＣＰＵ６１、出力制御プログラム６５９）と、
を備えることを特徴とする。
【０００８】
請求項４記載の発明は、請求項１〜３の何れか一項に記載の入退場管理装置であって、
前記カード情報は、当該カード情報を記憶するＩＣカードを所持するユーザの非接触ＩＣタグに記憶されている前記タグ識別情報を含み、
前記タグ識別情報記憶手段は、前記カード情報読取手段によって読取られた個人情報と、カード識別情報と、タグ識別情報とを対応付けて記憶することを特徴とすることを特徴とする。
【０００９】
請求項５記載の発明は、請求項１〜４の何れか一項に記載の入退場管理装置であって、
前記非接触ＩＣタグは、アンテナ部（２ａ）と、前記アンテナ部を介して所定の管理データを送受するＩＣチップ（２ｂ）と、を備え、
前記非接触ＩＣタグを前記ユーザが着用するヘルメット（例えば、非接触ＩＣタグ付きヘルメット１０）に備えたことを特徴とする。
【発明の効果】
【００１０】
請求項１記載の発明によれば、ＩＣカードのカード情報と非接触ＩＣタグのタグ識別情報とが対応付けられて記憶されており、ユーザの入退場時にタグ識別情報が認証された場合には、認証されたタグ識別情報と、このタグ識別情報の読取結果に基づく入退場情報とが対応付けられて記憶される。従って、ユーザの個人情報とタグ識別情報の読取結果に基づく入退場情報とが対応付けて記憶されることとなって、立入り許可者が日替わりで変わる特定区域の入退場管理をより効率的に行うことができる。
即ち、記憶容量の比較的大きいＩＣカードと、認証の利便性の高い非接触ＩＣタグとを組み合わせて用いることによって、入退場管理の効率化を図ることができる。
【００１１】
請求項２記載の発明によれば、請求項１記載の発明と同様の効果が得られるのは無論のこと、特に、カード情報に対応付けられたタグ識別情報が取得され、取得されたタグ識別情報に対応付けられた入退場情報が取得され、取得された入退場情報が当該入退場情報に対応するカード情報を記憶するＩＣカード３に書込まれる。従って、ＩＣカードを所持するユーザが出入りする特定区域が替わっても、個々の特定区域での入退場情報をＩＣカードに記憶させることができることとなって、ユーザの入退場管理を更に効率的に行うことができる。
【００１２】
請求項３記載の発明によれば、請求項２記載の発明と同様の効果が得られるのは無論のこと、特に、タグ識別情報に対応付けられたカード情報が取得され、取得されたカード情報中の個人情報が所定の出力手段に出力されるので、非接触ＩＣタグを所持しているユーザの個人情報を迅速に把握することができる。従って、例えば、特定区域内において事故発生等の緊急時に、ユーザの個人情報を迅速に得ることができ、速やかに応急処置等を行うことができる。
【００１３】
請求項４記載の発明は、請求項１〜３の何れか一項に記載の発明と同様の効果が得られるのは無論のこと、特に、カード情報には、当該カード情報を記憶するＩＣカード３を所持するユーザが所持する非接触ＩＣタグに記憶されているタグ識別情報が含まれる。従って、新規登録手続時にタグ識別情報を付与する工程を省略できることとなって、新規入場手続等の簡素化を図ることができる。
【００１４】
請求項５記載の発明によれば、請求項１〜４の何れか一項に記載の発明と同様の効果が得られるのは無論のこと、特に、非接触ＩＣタグは、アンテナ部と、アンテナ部を介して所定の管理データを送受するＩＣチップと、を備え、ユーザが着用するヘルメットの本体に備えているので、この非接触ＩＣタグ付きのヘルメットを着用して通行する頭上側に非接触ＩＣタグを検知することができる検知手段を備えれば、ポケットなどに保管する非接触ＩＣタグを取り出して、その非接触ＩＣタグを検知手段にかざしたりする手間を省くことができる。
つまり、例えば、工事現場などの特定箇所へ、作業者が入退場する際に、検知手段が非接触ＩＣタグを検知したか否かにより、その作業者の入退場の許可、不許可が判断されるような場合に、非接触ＩＣタグ付きヘルメットを着用して通行することで非接触ＩＣタグを検知することができれば、作業者がポケットなどに保管する非接触ＩＣタグを取り出して、検知手段にかざすなどする手間を省くことができるので、容易に特定箇所への入退場を行うことができる。
よって、非接触ＩＣタグ付きヘルメットは、特定箇所への入退場を容易に行うことに対し、有効に活用することができる。
【発明を実施するための最良の形態】
【００１５】
以下、図面を参照して本発明にかかる入退場管理装置について詳細に説明する。入退場管理装置１００は、例えば、トンネル工事等の特定現場（特定区域）における作業者（ユーザ）の入退場管理を支援するシステムである。
【００１６】
先ず、入退場管理装置１００の全体構成ついて説明する。
図１に示すように、入退場管理装置１００は、ヘルメットを着用した作業者が通過するゲート部２０と、ゲート部２０に備えられ、非接触ＩＣタグ２のタグＩＤを読取るタグ識別情報読取手段としてのタグリーダ３０と、ゲート部２０に備えられ、ゲート部２０を通過する作業者を検出する第１の検出センサ４０ａと第２の検出センサ４０ｂと、作業者がゲート部２０を通過することの可否を通知する通知手段としての警報部５０ａ、５０ｂと、作業者が所持するＩＣカード３のカード情報を読取るカードリーダライタ４（図６参照）と、上記各部の動作を制御する管理装置６０等を備えている。
【００１７】
最初に、特定現場に入退場する作業者が着用するヘルメットについて説明する。
図２に示すように、作業者が着用するヘルメットは、ヘルメット本体１に、非接触ＩＣタグ２が配設されてなる非接触ＩＣタグ付きヘルメット１０である。
【００１８】
ヘルメット本体１は、例えば、絶縁材から成り、ヘルメットを着用する作業者の頭部に対する衝撃を緩和し、ヘルメット着用者の頭部を保護するものである。
【００１９】
非接触ＩＣタグ２は、図３に示すように、アンテナ部２ａと、アンテナ部２ａに接続されるＩＣチップ２ｂと、アンテナ部２ａとＩＣチップ２ｂを覆うシート材２ｃとにより構成されている。
アンテナ部２ａは、アンテナ線が平面状に捲回されてなり、そのアンテナ線の両端部がＩＣチップ２ｂに接続されている。
ＩＣチップ２ｂは、集積回路であり、非接触ＩＣタグ２に割り当てられた管理データであるタグ識別情報としてのタグＩＤを記憶している。また、ＩＣチップ２ｂは、アンテナ部２ａを介して所定の管理データを送受することができる。
シート材２ｃは、例えば、プラスチックシートであり、アンテナ部２ａやＩＣチップ２ｂが損傷しないように保護するとともに、非接触ＩＣタグ２を薄い平板形状に形成するためのものである。
【００２０】
この非接触ＩＣタグ２は、後述する入退場管理装置１００のタグリーダ３０に所定の距離近づいたり、タグリーダ３０の検知エリアに入ったりすると、タグリーダ３０が有するアンテナ（図示省略）と、非接触ＩＣタグ２のアンテナ部２ａとの間で磁気的な結合が生じ、アンテナ部２ｂに高周波信号が誘起される。非接触ＩＣタグ２は、この高周波信号に基づく電力（誘導起電力）によりＩＣチップ２ｃが動作するようになっている。そして、非接触ＩＣタグ２は、ＩＣチップ２ｂに記憶するタグＩＤに関する信号などを、アンテナ部２ａを介して、タグリーダ３０に送信するようになっている。
【００２１】
そのため、非接触ＩＣタグ２は、後述する入退場管理装置１００のタグリーダ３０が検知しやすい箇所に備えられることが好ましい。
非接触ＩＣタグ２は、ヘルメット本体１の外側表面、ヘルメット本体１の内面のいずれに備えられていてもよく、また、着脱自在であっても、貼付されるなどして固定されていてもよい。また、非接触ＩＣタグ２は、ヘルメット本体１を構成する絶縁材中に埋設されていてもよい。
【００２２】
このような非接触ＩＣタグ付きヘルメット１０は、特定現場に入退場する作業者が着用しなければならないものであり、非接触ＩＣタグ付きヘルメット１０を着用する作業者の頭部を保護するとともに、特定現場に入退場する際の通行許可証としての機能を有するものである。
特定現場に入退場する際の通行許可証としての機能とは、後述する入退場管理装置１００において、非接触ＩＣタグ付きヘルメット１０の非接触ＩＣタグ２を検知するとともに、非接触ＩＣタグ２のＩＣチップ２ｂに記憶されるタグＩＤに基づき、非接触ＩＣタグ付きヘルメット１０を着用する作業者が、特定現場に入場したり、特定現場から退場したりすることに対するの許可、不許可が判断され、作業者に通知されるので、所定のタグＩＤが割り当てられた非接触ＩＣタグ付きヘルメット１０を通行許可証として着用しなければ、特定現場への出入りができないということである。
【００２３】
ゲート部２０は、作業者が通常歩行姿勢で通過できる幅に離間して配置される側壁部２１，２１と、側壁部２１に掛け渡される天井部２２とにより構成されている。そして、ゲート部２０は、図４に示すように、作業者が通常歩行姿勢で通過できる高さ（例えば、１９０ｃｍ）と幅（例えば、９０ｃｍ）を有する通路を形成する。
天井部２２には、タグリーダ３０が配設されており、側壁部２１には、第１の検出センサ４０ａと第２の検出センサ４０ｂが備えられている。
【００２４】
タグリーダ３０は、アンテナ（図示省略）と、そのアンテナから高周波信号を出力させる駆動回路（図示省略）を有している。
タグリーダ３０は、所定の駆動回路により、例えば、周波数１３．５６（ＭＨｚ）の高周波信号をそのアンテナから出力し、非接触ＩＣタグ２のアンテナ部２ａに高周波信号を誘起させることで、非接触ＩＣタグ２に動作用電力を供給する。
また、タグリーダ３０は、非接触ＩＣタグ２のアンテナ部２ａを介して送信された信号を検知することに基づき、非接触ＩＣタグ２を検知する。また、タグリーダ３０は、非接触ＩＣタグ２のアンテナ部２ａを介して送信された信号におけるタグＩＤに関する信号に基づき、タグリーダ３０のアンテナに誘起される高周波信号を信号処理し、非接触ＩＣタグ２から送信されたタグＩＤを取得する。そして、タグリーダ３０は、取得したタグＩＤを、管理装置６０に出力する。
【００２５】
このタグリーダ３０が、非接触ＩＣタグ２に動作用電力を供給したり、非接触ＩＣタグ２がアンテナ部２ａを介して送信する信号を検知したりすることができる範囲である検知エリア３０ａは、図４において網掛けで示す部分のように、ゲート部２０内における上方側の空間である。この検知エリア３０ａは、例えば、左右の側壁部２１，２１が対向する間であるとともに、天井部２２から下方に９０ｃｍの範囲である。
このような検知エリア３０ａであれば、作業者が非接触ＩＣタグ付きヘルメット１０を着用し、通常歩行姿勢でゲート部２０を通過する際に、非接触ＩＣタグ付きヘルメット１０の非接触ＩＣタグ２が検知エリア３０ａを通過するので、タグリーダ３０は、非接触ＩＣタグ付きヘルメット１０の非接触ＩＣタグ２を検知することができる。
特に、作業者が非接触ＩＣタグ付きヘルメット１０を着用し、通常歩行姿勢、通常歩行速度でゲート部２０を通過する際に、より確実にタグリーダ３０が非接触ＩＣタグ２を検知することができる検知エリア３０ａを設けるように、タグリーダ３０をゲート部２０に配設することが好ましい。
【００２６】
第１の検出センサ４０ａ及び第２の検出センサ４０ｂは、例えば、赤外線センサで構成されており、作業者がゲート部２０を通過する方向である入退場方向に離間して、ゲート部２０に備えられている。
図５に示すように、第２の検出センサ４０ｂは、ゲート部２０における特定現場側（内側）に配設されており、第１の検出センサ４０ａは、第２の検出センサ４０ｂより入退場方向に特定現場から離れた位置（外側）に配設されている。
第１の検出センサ４０ａ及び第２の検出センサ４０ｂは、ゲート部２０を通過する作業者を検出するとともに、作業者を検出したことに基づく検出信号を、管理装置６０に出力する。
【００２７】
警報部５０ａは、ゲート部２０を特定現場に向かって入場する作業者に対して、後述する管理装置６０のＣＰＵ６１の判断に基づき、ゲート部２０の通過の可否を通知するものである。
警報部５０ｂは、ゲート部２０を特定現場から退場する作業者に対して、後述する管理装置６０のＣＰＵ６１の判断に基づき、ゲート部２０の通過の可否を通知するものである。
後述するＣＰＵ６１が、作業者がゲート部２０を通過することを許可した場合、警報部５０ａ，５０ｂのライト部５５ａ，５５ｂは緑色に点灯し、通過の許可を通知するようになっている。また、後述するＣＰＵ６１が、作業者がゲート部２０を通過することを許可しない場合、警報部５０ａ，５０ｂのライト部５５ａ，５５ｂは赤色に点灯するとともに、警報部５０ａ，５０ｂが警報音や警告アナウンスを発することで、通過の不許可を通知するようになっている。
【００２８】
ＩＣカード３は、例えば、カードごとに割り当てられる固有のカードＩＤと、当該ＩＣカード３の所持する作業者の個人情報等のカード情報を記憶するカードＩＣチップ（図示省略）と、カードＩＣチップに記憶されている情報をカードリーダライタ４へ送信する接点端子等を備えて構成されている。
ここで、作業者の個人情報は、例えば、氏名、生年月日、住所、緊急連絡先、健康診断情報、免許・資格、現場履歴等が含むものとする。
【００２９】
カードリーダライタ４は、カード情報読取手段として機能し、例えば、ＩＣカード３に記憶されているカード情報を読取るための端子（図示省略）を備えている。
そして、このカードリーダライタ４内にＩＣカード３を挿入することにより、ＩＣカード３の接点端子とカードリーダライタ４の端子（図示省略）とが接触し、ＩＣカード３に記憶されているカード情報が読み出され、管理装置６０のＣＰＵ６１に入力されるようになっている。
【００３０】
また、カードリーダライタ４は、書込手段の一部として機能し、例えば、入退場情報ＤＢ６４３に記憶されている入退場情報を、この入退場情報に対応するカードＩＤを記憶するＩＣカード３に書込むものである。なお、カードリーダライタ４の書込処理については、ＣＰＵ６１によって制御されている。
【００３１】
次に、入退場管理装置１００のシステム構成について説明する。
図６に示すように、管理装置６０は、例えば、ＣＰＵ６１、ＲＡＭ６２、記憶部６３、表示部６６、入力部６７、計時部６８、外部機器と接続するためのインターフェイス（Ｉ／Ｆ）６９などを備え、これらはバスＢを介して接続されている。
【００３２】
記憶部６３は、プログラムやデータなどが予め記憶された記録媒体６４を有している。記録媒体６４は、例えば、磁気的記録媒体、光学的記録媒体、半導体メモリなどで構成されている。記録媒体６４は、記憶部６３に対して、固定的に、或いは着脱自在に設けられている。
【００３３】
記録媒体６４には、カード情報データベース（カード情報ＤＢ）４１、タグＩＤデータベース（タグＩＤＤＢ）４２、入退場情報データベース（入退場情報ＤＢ）４３等が記憶されている。
また、記録媒体６４には、入退場管理処理に使用される各種アプリケーションプログラムなどが記憶されるプログラム格納領域６５、各種アプリケーションプログラムの実行結果などが記憶される結果データ格納領域（図示省略）などが設けられている。
【００３４】
なお、記録媒体６４に記憶されるプログラム、データなどは、その一部または全部が、他の外部装置などから、Ｉ／Ｆ６９などを介して取得して、記録媒体６４に記録されるものとしても良い。
【００３５】
カード情報ＤＢ６４１には、図７に示すように、カードリーダライタ４によって読取られたＩＣカード３のカード情報が記憶されている。カード情報は、例えば、カードＩＤ及び個人情報とを含み、このカードＩＤと、個人情報とが対応付けられて記憶されている。例えば、カードＩＤ「１」は、作業者氏名「○○」−所属「◎◎」−緊急連絡先「●●」・・・の個人情報と対応付けられて記憶されている。このように、カード情報ＤＢ６４１は、カード情報記憶手段の一部として機能する。
【００３６】
タグＩＤＤＢ６４２には、例えば、図８に示すように、カードリーダライタ４によって読取られたカードＩＤと、そのカードＩＤが記憶されたＩＣカード３の所有者が所持する非接触ＩＣタグのタグＩＤとが対応付けられて記憶されている。具体的には、例えば、カードＩＤ「１」は、タグＩＤ「１０１」と対応付けられて記憶されている。このように、タグＩＤＤＢ６４２は、タグ識別情報記憶手段の一部として機能する。
【００３７】
入退場情報ＤＢ６４３には、例えば、図９に示すようにタグリーダ３０によって読取られ、管理装置６０のＣＰＵ６１によって認証されたタグＩＤと、このタグＩＤの読取時刻とが対応付けられて記憶されている。具体的には、例えば、タグＩＤ「１０１」は、入場時刻「２００４−０３−０３−８：００」及び退場時刻「２００４−０３−０３−１８：００」と対応付けて記憶されている。
このように、入退場情報ＤＢ６４３は、入退場情報記憶手段の一部として機能する。
【００３８】
プログラム格納領域６５には、ＣＰＵ６１での各種動作を行うためのシステムプログラム、アプリケーションプログラムが記憶されている。具体的には、カード情報記憶プログラム６５０、タグＩＤ記憶プログラム６５１、認証プログラム６５２、通知プログラム６５３、タグＩＤ取得プログラム６５４、入退場情報記憶プログラム６５５、入退場情報取得プログラム６５６、書込プログラム６５７、カード情報取得プログラム６５８、出力制御プログラム６５９等が記憶されている。
【００３９】
ＣＰＵ６１は、記憶部６３に格納されている各種アプリケーションプログラムやシステムプログラムなどをＲＡＭ６２に格納して、各種指示信号や入力データなどに応じて、ＲＡＭ６２内に格納したアプリケーションプログラムに従って、各種処理を実行する。また、ＣＰＵ６１は、処理結果を一時的にＲＡＭ６２に格納するとともに、表示部６６に表示する制御を行う。また、ＣＰＵ６１は、処理結果情報を記憶部６３の結果データ格納領域（図示省略）に記憶させる制御も行う。
【００４０】
具体的には、ＣＰＵ６１は、カード情報記憶プログラム６５０を実行することにより、カードリーダライタ４によって読取られたＩＣカード３のカード情報をカード情報ＤＢ４３に記憶するカード情報記憶手段の一部として機能する。
【００４１】
また、ＣＰＵ６１は、タグＩＤ記憶プログラム６５１を実行することにより、タグリーダ３０によって読取られた非接触ＩＣタグ２のタグＩＤと、当該非接触ＩＣタグ２を所持する作業者のＩＣカード３のカード情報とを対応付けて記憶するタグ識別情報記憶手段の一部として機能する。
【００４２】
また、ＣＰＵ６１は、認証プログラム６５２を実行することにより、タグリーダ３０によって読取られたタグＩＤを、タグＩＤＤＢ６４２に記憶されているタグＩＤに基づいて認証する認証手段として機能する。
【００４３】
また、ＣＰＵ６１は、通知プログラム６５３を実行することにより、タグリーダ３０によって読取られたタグＩＤの認証結果を、特定区域に入退場しようとするユーザに通知する通知手段の一部として機能する。
【００４４】
また、ＣＰＵ６１は、タグＩＤ取得プログラム６５４を実行することにより、カードリーダライタ４によって読取られたカード情報に対応付けられたタグＩＤをタグＩＤＤＢ６４２から取得するタグ識別情報取得手段として機能する。
【００４５】
また、ＣＰＵ６１は、入退場情報記憶プログラム６５５を実行することにより、認証されたタグＩＤと、当該タグＩＤの読取結果に基づく入退場情報である時刻データとを対応付けて記憶する入退場情報記憶手段として機能する。
【００４６】
また、ＣＰＵ６１は、入退場情報取得プログラム６５６を実行することにより、取得したタグＩＤに対応付けられた入退場時刻を入退場情報ＤＢ６４３から取得する入退場情報取得手段として機能する。
【００４７】
また、ＣＰＵ６１は、書込プログラム６５７を実行することにより、取得した入退場情報を、当該入退場情報に対応するカード情報を記憶するＩＣカード３に書込む書込手段の一部として機能する。
【００４８】
また、ＣＰＵ６１は、カード情報取得プログラム６５８を実行することによって、取得したタグＩＤに対応付けられたカード情報をカード情報ＤＢ６４１から取得するカード情報取得手段として機能する。
【００４９】
また、ＣＰＵ６１は、出力制御プログラム６５９を実行することにより、取得したカード情報中の個人情報を表示部６７に出力させる出力制御手段として機能する。
を表示させる
【００５０】
ＲＡＭ６２は、記憶部６３に格納されたプログラムをＣＰＵ６１が実行する際に、各種プログラムやデータを格納する格納領域を形成する。また、ＣＰＵ６１による処理を実行するための作業領域や、ＣＰＵ６１の処理に係わるデータが一時的に記憶される記憶領域などを形成する。
【００５１】
表示部６６は、出力手段として機能し、例えば、ＬＣＤ（Liquid  Crystal  Display）などにより構成されている。ＣＰＵ６１の出力制御に従い、各種データを入力する入力画面などを表示画面上に表示できる。
【００５２】
入力部６７は、例えば、カーソルキー、数字キー、機能キー等の各種キーを備え、ユーザにより操作されたキーに対応する操作信号をＣＰＵ６１に出力する。
【００５３】
計時部６８は、時刻や日付を計時し、計時された時間データ等は、ＣＰＵ６１を介してＲＡＭ６２に送られて順次更新セットされる。例えば、所定周波数のクロック信号を発振する発振回路（図示省略）と、該発振回路からの信号を分周して所定周波数の信号を得る分周回路（図示省略）と、一秒単位の計時データに変換するための時刻用カウンタ（図示省略）等を備える。
そして、タグリーダ３０によって読取られたタグＩＤが認証された場合には、認証された時刻がタグＩＤと対応付けられて入退場情報ＤＢ６４３に記憶されるようになっている。
【００５４】
Ｉ／Ｆ６９は、この管理装置６０とカードリーダライタ４、タグリーダ３０、警報部５０ａ、５０ｂと間で各種指示信号や位置情報等を入出力するためのインターフェイスであり、例えば、ＵＳＢ（Universal  Serial  Bus）ポートやＲＳ−２３２Ｃ端子をはじめとするシリアル入出力端子、パラレル入出力端子、ＳＣＳＩインターフェイス、ＩｒＤＡ（Infrared  Data  Association）規格に準じた赤外線通信装置等が備えられ、有線または無線通信手段により外部機器と接続することが可能である。
そして、記憶部６３に記憶されているカード情報ＤＢ６４１、タグＩＤＤＢ６４２、入退場情報ＤＢ６４３の各データを、Ｉ／Ｆ６９を介して、例えば、別の入退場管理装置に記憶されているデータから取得するようにしてもよい。
【００５５】
次に、入退場管理装置１００による作業者の入退場管理処理の一例について、図面を参照して詳細に説明する。この入退場管理処理には、新規登録処理、入退場認証処理、ＩＣカード書込処理、出力制御処理が含まれる。
【００５６】
最初に、特定区域に入退場する作業者の個人情報等の新規登録処理について、図１０に示すフローチャートを用いて説明する。
【００５７】
先ず、ＣＰＵ６１は、登録処理開始信号の入力があったと判断した場合（ステップＳ１０１；Ｙｅｓ）には、カードリーダライタ４によって読取られたカード情報がＣＰＵ６１に入力される（ステップＳ１０２）。
次いで、ＣＰＵ６１は、入力されたカード情報をカード情報ＤＢ６４１に記憶する（ステップＳ１０３）。具体的には、図１４に示すように、例えば、カード情報のカードＩＤ「２」−氏名「△△」−所属「□□」−緊急連絡先「■■」・・・をカード情報ＤＢ６４１に記憶する。
次いで、ＣＰＵ６１は、入力されたカード情報（例えば、カードＩＤ）にタグＩＤを付与し、このカードＩＤとタグＩＤとを対応付けてタグＩＤＤＢ６４２に記憶し（ステップＳ１０４）、本処理を終了する。具体的には、図１５に示すように、例えば、カードＩＤ「２」にタグＩＤ「１０２」を付与し、この「２」と「１０２」とを対応付けて記憶する。
【００５８】
次に、特定現場に入退場する作業者の入退場認証処理について、図１１に示すフローチャートを用いて説明する。
先ず、特定現場に入場、或いは特定現場から退場するために、入退場管理装置１００のゲート部２０を通過しようとする作業者を、第１の検出センサ４０ａ又は第２の検出センサ４０ｂが検出する（ステップＳ２０１）。
【００５９】
次いで、ＣＰＵ６１は、タグリーダ３０によって、ゲート部２０を通過しようとする作業者が着用する非接触ＩＣタグ付きヘルメット１０の非接触ＩＣタグ２のタグＩＤの読取信号が入力されたか否かを判断する（ステップＳ２０２）。そして、ＣＰＵ６１が、タグリーダ３０によって非接触ＩＣタグ付きヘルメット１０の非接触ＩＣタグ２のタグＩＤの読取信号が入力されたと判断した場合（ステップＳ２０２；Ｙｅｓ）には、入力されたタグＩＤに基づき、非接触ＩＣタグ付きヘルメット１０を着用する作業者が、ゲート部２０を通過できるか否かを判断する（ステップＳ２０３）。
【００６０】
そして、ＣＰＵ６１が、タグリーダ３０が読取った非接触ＩＣタグ２のタグＩＤが登録されている（即ち、タグＩＤＤＢ６４２に既に記憶されている）と判断した場合（ステップＳ２０３；Ｙｅｓ）には、その判断の後に、もう一方の検出センサが作業者を検出する（ステップＳ２０４）。
そして、ＣＰＵ６１は、作業者がゲート部２０を通過する際に、第１の検出センサ４０ａと第２の検出センサ４０ｂが作業者を検出した順に基づき、作業者の入退場を判別し（ステップＳ２０５）、判別した入退場に対応する警報部５０ａ，５０ｂに、作業者の通過を許可する通知（通過ＯＫ通知）を行わせる（ステップＳ２０６）。
この通過許可の通知に伴い、作業者は、特定現場に入場、或いは特定現場から退場することができる。
次いで、ＣＰＵ６１は、認証したタグＩＤとそのタグＩＤを認証した時刻（日時）を入退場情報ＤＢ６４３に記憶し（ステップＳ２０７）、ステップＳ１０１へ戻る。具体的には、図１６に示すように、例えば、タグＩＤ「１０２」ー入場時刻「２００４−０４−０４−９：００」ー退場時刻「２００４−０４−０４−１９：００」をそれぞれ対応付けて入退場情報ＤＢ６４３に記憶する。
【００６１】
一方、ＣＰＵ６１が、タグリーダ３０が読取った非接触ＩＣタグ２のタグＩＤが、ゲート部２０の通過に対し無効である（即ち、読取ったタグＩＤがタグＩＤＤＢ６４２に記憶されていない）と判断した場合には（ステップＳ２０３；Ｎｏ）、その判断の後に、もう一方の検出センサが作業者を検出する（ステップＳ２０８）。
そして、ＣＰＵ６１は、作業者がゲート部２０を通過する際に、第１の検出センサ４０ａと第２の検出センサ４０ｂが作業者を検出した順に基づき、作業者の入退場を判別し（ステップＳ２０９）、判別した入退場に対応する警報部５０ａ，５０ｂに、作業者の通過を許可しない通知（通過ＮＧ通知）を行わせる（ステップＳ２１０）。
この通過不許可の通知に伴い、作業者は、特定現場に入場、或いは特定現場から退場することを、取りやめなければならない。
そして、通過ＮＧ通知後、ステップＳ２０１へ戻る。
【００６２】
また、タグリーダ３０が非接触ＩＣタグ付きヘルメット１０の非接触ＩＣタグ２を検知せずに（ステップＳ２０２；Ｎｏ）、もう一方の検出センサが、作業者を検出すると（ステップＳ２１１）、ステップＳ２０９へ進むとともに、通過ＮＧ通知した後、ステップＳ２０１へ戻る。
【００６３】
次に、カード書込処理について、図１２に示すフローチャートを用いて説明する。
先ず、ＣＰＵ６１は、カードリーダライタ４が読取ったＩＣカード３のカードＩＤが入力されたと判断した場合（ステップＳ３０１；Ｙｅｓ）には、そのカードＩＤに対応付けられたタグＩＤをタグＩＤＤＢ６４２から取得する（ステップＳ３０２）。具体的には、例えば、タグＩＤ「１０２」を取得したとする。
【００６４】
次いで、ＣＰＵ６１は、取得したタグＩＤ「１０２」に対応付けられた入退場情報を、入退場情報ＤＢ６４３から取得する（ステップＳ３０３）。具体的には、例えば、入退場情報として、入場時刻「２００４−０４−０４−９：００」及び退場時刻「２００４−０４−０４−１９：００」を取得したとする。
次いで、ＣＰＵ６１は、取得した入退場情報（入場時刻「２００４−０４−０４−９：００」及び退場時刻「２００４−０４−０４−１９：００」）を、この入退場情報に対応するカードＩＤ「１０２」を記憶するＩＣカード３にカードリーダライタ４によって書込ませ（ステップＳ３０４）、本処理を終了する。
【００６５】
次に、出力制御処理について、図１３に示すフローチャートを用いて説明する。
先ず、ＣＰＵ６１は、個人情報表示指示入力があったと判断した場合（ステップＳ４０１；Ｙｅｓ）には、タグＩＤＩＢ６４２に記憶されている全てのタグＩＤを取得する（ステップＳ４０２）。
次いでＣＰＵ６１は、取得したタグＩＤに対応付けられた入退場情報を入退場情報記憶ＤＢ６４３から取得する（ステップＳ４０３）。
次いで、ＣＰＵ６１は、取得したタグＩＤに対応付けられたカードＩＤをタグＩＤ６４２からそれぞれ取得する（ステップＳ４０４）。
次いで、ＣＰＵ６１は、取得したカードＩＤに対応付けられた個人情報（氏名「△△」−所属「□□」−緊急連絡先「■■」・・；図１４参照）をカード情報ＤＢ６４１から取得する（ステップＳ４０５）。
次いで、ＣＰＵ６１は、図１７に示すように、個人情報一覧６６１として、個人情報と入退場情報と対応付けて表示部６６に表示させ（ステップＳ４０６）、本処理を終了する。
【００６６】
以上説明した入退場管理装置１００によれば、ＩＣカード３のカード情報（カードＩＤ）と非接触ＩＣタグ２のタグＩＤとが対応付けられて記憶されており、ユーザの入退場時にタグＩＤが認証された場合には、認証されたタグＩＤと、このタグＩＤの読取結果に基づく入退場情報とが対応付けられて記憶される。従って、ユーザの個人情報とＩＤの読取結果に基づく入退場情報とが対応付けて記憶されることとなって、立入り許可者が日替わりで変わる特定区域の入退場管理をより効率的に行うことができる。
即ち、記憶容量の比較的大きいＩＣカード３と、認証の利便性の高い非接触ＩＣタグ２とを組み合わせて用いることによって、入退場管理の効率化を図ることができる。
【００６７】
また、カード情報に対応付けられたタグＩＤが取得され、取得されたタグＩＤに対応付けられた入退場情報が取得され、取得された入退場情報が当該入退場情報に対応するカード情報を記憶するＩＣカード３に書込まれる。従って、ＩＣカードを所持するユーザが出入りする特定区域が替わっても、個々の特定区域での入退場情報をＩＣカードに記憶させることができることとなって、ユーザの入退場管理を更に効率的に行うことができる。
また、作業者の個人情報と入退場情報とが対応付けて表示部６６に表示されるので、各作業者の労働状況をより容易に把握することができる。
【００６８】
また、タグＩＤに対応付けられたカードＩＤが取得され、取得されたカードＩＤに対応する個人情報が表示部６６に出力されるので、非接触ＩＣタグ２を所持しているユーザの個人情報を迅速に把握することができる。例えば、特定区域内において事故発生等の緊急時に、ユーザの個人情報を迅速に得ることができ、速やかに応急処置等を行うことができる。
【００６９】
また、特定現場に入退場しようとする作業者が着用している非接触ＩＣタグ付きヘルメット１０の非接触ＩＣタグ２を検知し、非接触ＩＣタグ２のＩＣチップ２ｂに記憶されるタグＩＤに基づき、非接触ＩＣタグ付きヘルメット１０を着用する作業者が、特定現場に入場したり、特定現場から退場したりすることに対するの許可、不許可を判断することができ、作業者にその通過可否の判断結果を通知することができる。
特に、作業者は、非接触ＩＣタグ２を備えた非接触ＩＣタグ付きヘルメット１０を着用し、入退場管理装置１００のゲート部２０を通常歩行姿勢で通過することにより、ゲート部２０における作業者の頭上側に配設されたタグリーダ３０が、非接触ＩＣタグ付きヘルメット１０の非接触ＩＣタグ２を検知するようになっているので、作業者は、入退場管理装置１００の通行許可証となる非接触ＩＣタグ２をポケットなどに保管するとともに、特定現場へ入退場する際に取り出して、その非接触ＩＣタグ２をタグリーダ３０にかざしたりする必要がない。
よって、作業者は、入退場管理装置１００を介し、特定現場への入退場を容易に行うことができる。
【００７０】
なお、上記実施の形態においては、カード情報はカードＩＤ及び個人情報を含む構成を示したが、これらに加えて、そのＩＣカード３を所持するユーザが所持する非接触ＩＣタグ２に記憶されているタグＩＤを含む構成であってもよい。この場合、新規登録手続時にタグ識別情報を付与する工程を省略できることとなって、新規入場手続等の簡素化を図ることができる。
【００７１】
また、ゲート部２０に、開状態と閉状態とを切替可能な、通知手段としてのフラップ部を設け、管理装置６０のＣＰＵ６１が、作業者がゲート部２０を通過することを許可した場合、フラップ部を開ける開状態にし、管理装置６０のＣＰＵ６１が、作業者がゲート部２０を通過することを許可しない場合、フラップ部を閉める閉状態にすることで、通過の許可、不許可を通知するようにしてもよい。
【００７２】
また、上記実施の形態における出力制御処理については、作業者の個人情報と入退場情報とを表示部６６に表示させる構成を示したが、例えば、入退場時刻に基づいて労働時間等を演算して表示させるようにしてもよい。
また、作業者が特定区域に入場後に事故等に遭った場合、周囲の作業者によって緊急通信用のタグリーダ等を用いて事故の当事者の非接触ＩＣタグ付きヘルメット１０のタグＩＤを読取らせ、この読取ったタグＩＤに対応付けられたカードＩＤをタグＩＤＤＢ６４２から取得させ、取得したカードＩＤに対応する個人情報をカード情報ＤＢ６４１から取得し、緊急事態を示す表示態様にて表示部６６に表示させるようにしてもよい。
出力手段として表示部６６に表示させる構成としたが、印刷部によりカード情報を印刷してもよい。
【００７３】
また、その他、具体的な細部構造等についても適宜に変更可能であることは勿論である
。
【図面の簡単な説明】
【００７４】
【図１】本発明に係る入退場管理装置の概略を示す斜視図である。
【図２】本発明に係る非接触ＩＣタグ付きヘルメットを示す斜視図である。
【図３】非接触ＩＣタグの平面図である。
【図４】入退場管理装置における検知エリアの説明図である。
【図５】入退場管理装置における検出センサの説明図である。
【図６】本発明にかかる入退場管理装置の要部構成を示すブロック図である。
【図７】カード情報ＤＢのデータ内容の一例を示す図である。
【図８】タグＩＤＤＢのデータ内容の一例を示す図である。
【図９】入退場情報ＤＢのデータ内容の一例を示す図である。
【図１０】新規登録処理の一例を示すフローチャートである。
【図１１】入退場認証処理の一例を示すフローチャートである。
【図１２】ＩＣカード書込処理の一例を示すフローチャートである。
【図１３】出力制御処理の一例を示すフローチャートである。
【図１４】カード情報ＤＢのデータ内容の一例を示す図である。
【図１５】タグＩＤＤＢのデータ内容の一例を示す図である。
【図１６】入退場情報ＤＢのデータ内容の一例を示す図である。
【図１７】管理装置による個人情報の出力結果の一例を示す図である。
【符号の説明】
【００７５】
２  非接触ＩＣタグ
２ａ  アンテナ部
２ｂ  ＩＣチップ
３  ＩＣカード
４  カードリーダライタ（カード情報読取手段、書込手段）
１０  非接触ＩＣタグ付きヘルメット
３０    タグリーダ（タグ識別情報読取手段）
４０ａ  第１の検出センサ
４０ｂ  第２の検出センサ
５０ａ、５０ｂ  警報部（通知手段）
６１  ＣＰＵ（カード情報記憶手段、タグ識別情報記憶手段、認証手段、通知手段、タグ識別情報取得手段、入退場情報記憶手段、入退場情報取得手段、書込手段、カード情報取得手段、出力制御手段）
６６  表示部（出力手段）
１００  入退出管理装置
６４１  カード情報ＤＢ（カード情報記憶手段）
６４２  タグＩＤＤＢ（タグ識別情報記憶手段）
６４３  入退場情報ＤＢ（入退場情報記憶手段）
６５０  カード情報記憶プログラム（カード情報記憶手段）
６５１  タグＩＤ記憶プログラム（タグ識別情報記憶手段）
６５２  認証プログラム（認証手段）
６５３  通知プログラム（通知手段）
６５４  タグＩＤ取得プログラム（タグ識別情報取得手段）
６５５  入退場情報記憶プログラム（入退場情報記憶手段）
６５６  入退場情報取得プログラム（入退場情報取得手段）
６５７  書込プログラム（書込手段）
６５８  カード情報取得プログラム（カード情報取得手段）
６５９  出力制御プログラム（出力制御手段）
【図１】
2006022525.tif 000003
【図２】
2006022525.tif 000004
【図３】
2006022525.tif 000005
【図４】
2006022525.tif 000006
【図５】
2006022525.tif 000007
【図６】
2006022525.tif 000008
【図７】
2006022525.tif 000009
【図８】
2006022525.tif 000010
【図９】
2006022525.tif 000011
【図１０】
2006022525.tif 000012
【図１１】
2006022525.tif 000013
【図１２】
2006022525.tif 000014
【図１３】
2006022525.tif 000015
【図１４】
2006022525.tif 000016
【図１５】
2006022525.tif 000017
【図１６】
2006022525.tif 000018
【図１７】
2006022525.tif 000019